(57)【要約】【課題】シャッタ装置およびカメラの部品選定や配置の自由度を確保する。【解決手段】移動板１５１にワイパ部１５２を設ける。移動板１５１を駆動させる主アーム１５５の係合穴１５５ａと先幕駆動レバー３０の爪部３２とを係合させて主アーム１５５と先幕駆動レバー３０とを連結し、先幕駆動レバー３０の回動によって連結された主アーム１５５および移動板１５１を移動させて、ワイパ部１５２で光学フィルタ２０１の前側表面を清掃するように構成する。清掃後には、主アーム１５５と先幕駆動レバー３０との連結を解除するように構成する。ワイパ部１５２を遮光羽根１３１，１４１と独立して設けられるので、従来のシャッタ装置のような、ワイパ部材の配設に伴うシャッタ装置と撮像素子ユニットとの位置関係の制限がなくなる。これにより、フォーカルプレーンシャッタ１００およびデジタルスチルカメラにおける部品選定や配置の自由度を確保できる。【選択図】図２
2008122568.tif 000002
【特許請求の範囲】
【請求項１】
撮影開口を遮光または開放するシャッタ羽根の駆動機構と、
撮像素子の受光面側に設けられた光学部材の表面を清掃する清掃部材と、
前記駆動機構によって駆動される被駆動部材と前記清掃部材とを連結する連結手段と、
前記清掃部材が前記連結手段で連結された前記被駆動部材によって前記光学部材の表面を一方向に移動して清掃した後に、前記連結手段による前記清掃部材と前記被駆動部材との連結を解除する解除手段とを備えることを特徴とするシャッタ装置。
【請求項２】
請求項１に記載のシャッタ装置において、
前記清掃部材は、前記解除手段によって前記被駆動部材との連結が解除されると、前記連結手段で連結された前記被駆動部材によって移動される前の位置に復帰することを特徴とするシャッタ装置。
【請求項３】
請求項２に記載のシャッタ装置において、
前記清掃部材が前記連結手段で連結された前記被駆動部材によって移動される前の位置に復帰する際に、前記光学部材の表面から離間させる離間手段をさらに備えることを特徴とするシャッタ装置。
【請求項４】
請求項１〜３のいずれか一項に記載のシャッタ装置において、
前記連結手段は、シャッタレリーズにより走行する前記シャッタ羽根が停止する際に前記被駆動部材と前記清掃部材とを連結することを特徴とするシャッタ装置。
【請求項５】
請求項１〜４のいずれか一項に記載のシャッタ装置において、
前記連結手段は、前記被駆動部材側および前記清掃部材側のいずれか一方に設けられた開口部と、いずれか他方に設けられた突部とを係合させることで前記被駆動部材と前記清掃部材とを連結することを特徴とするシャッタ装置。
【請求項６】
請求項１〜５のいずれか一項に記載のシャッタ装置と、
撮像素子と、
前記撮像素子の受光面側に設けられた光学部材とを備えることを特徴とするカメラ。
【発明の詳細な説明】
【技術分野】
【０００１】
本発明は、電子カメラの撮像素子近傍に付着する異物の除去技術に関する。
【背景技術】
【０００２】
電子カメラでは、撮像素子ユニットの表面に塵埃等の異物が付着すると、画像に写り込んで画像品質を低下させる恐れがある。従来、シャッタ羽根に取り付けられたワイパ部材で撮像素子ユニットの表面を拭くように構成されたシャッタ装置が知られている（たとえば、特許文献１参照）。
【０００３】
【特許文献１】特開２００３−５２５４号公報
【発明の開示】
【発明が解決しようとする課題】
【０００４】
しかし、従来のシャッタ装置では、シャッタ装置の裏側のカバー（補助地板）よりも前方に位置するシャッタ羽根にワイパ部材を取り付け、このワイパ部材で撮像素子ユニットの表面を拭くように構成している。そのため、シャッタ装置と撮像素子ユニットとの位置関係が制限されるので、カメラの設計上の制限が多くなり、撮像素子の選定等が困難になるなどの不具合があった。
【課題を解決するための手段】
【０００５】
（１）  請求項１の発明によるシャッタ装置は、撮影開口を遮光または開放するシャッタ羽根の駆動機構と、撮像素子の受光面側に設けられた光学部材の表面を清掃する清掃部材と、駆動機構によって駆動される被駆動部材と清掃部材とを連結する連結手段と、清掃部材が連結手段で連結された被駆動部材によって光学部材の表面を一方向に移動して清掃した後に、連結手段による清掃部材と被駆動部材との連結を解除する解除手段とを備えることを特徴とする。
（２）  請求項２の発明は、請求項１に記載のシャッタ装置において、清掃部材は、解除手段によって被駆動部材との連結が解除されると、連結手段で連結された被駆動部材によって移動される前の位置に復帰することを特徴とする。
（３）  請求項３の発明は、請求項２に記載のシャッタ装置において、清掃部材が連結手段で連結された被駆動部材によって移動される前の位置に復帰する際に、光学部材の表面から離間させる離間手段をさらに備えることを特徴とする。
（４）  請求項４の発明は、請求項１〜３のいずれか一項に記載のシャッタ装置において、連結手段は、シャッタレリーズにより走行するシャッタ羽根が停止する際に被駆動部材と清掃部材とを連結することを特徴とする。
（５）  請求項５の発明は、請求項１〜４のいずれか一項に記載のシャッタ装置において、連結手段は、被駆動部材側および清掃部材側のいずれか一方に設けられた開口部と、いずれか他方に設けられた突部とを係合させることで被駆動部材と清掃部材とを連結することを特徴とする。
（６）  請求項６の発明によるカメラは、請求項１〜５のいずれか一項に記載のシャッタ装置と、撮像素子と、撮像素子の受光面側に設けられた光学部材とを備えることを特徴とする。
【発明の効果】
【０００６】
本発明によれば、部品選定や配置の自由度を確保できる。
【発明を実施するための最良の形態】
【０００７】
図１〜１３を参照して、本発明によるシャッタ装置およびカメラを電子カメラに適用した一実施の形態を説明する。図１は本実施形態におけるデジタルスチルカメラを側面から見た断面図である。なお、説明の便宜上、各図に示すように前後左右および上下方向を規定する。左右方向については、デジタルスチルカメラを正面から見たときの左右方向と一致するように規定する。このデジタルスチルカメラＣＡはレンズ交換式の一眼レフタイプであり、撮影レンズＬを有する交換レンズＬＢがレンズマウント２１を介してカメラボディＣＢに装着される。撮影レンズＬを透過した撮影光束は、レンズマウント２１の開口２１ａを通ってカメラボディＣＢ内に導かれ、ミラー２２で反射されてファインダスクリーン２３上に結像され、ペンタプリズム２４，接眼レンズ２５を介して観察される。
【０００８】
レリーズ操作がなされると、ミラー２２が跳ね上げられて撮影光路から退避し、続いてシャッタ装置であるフォーカルプレーンシャッタ１００が駆動され、撮影レンズＬの透過光束は、光学フィルタ２０１を介してＣＣＤなどの撮像素子２５０に入射する。なお、フォーカルプレーンシャッタ１００は駆動機構８０によって駆動される。撮像素子２５０の光電変換出力は、不図示の画像処理回路にて種々の処理が施され、デジタル画像データが生成される。なお、撮像素子２５０には、ＣＣＤ以外の撮像素子（例えば、ＣＭＯＳ）を用いてもよい。
【０００９】
フォーカルプレーンシャッタ１００の後方には、入射光軸ＡＸ１に沿って前方（被写体側）から順に光学フィルタ２０１および撮像素子２５０が配設されている。フォーカルプレーンシャッタ１００には、光学フィルタ２０１の表面を清掃するワイパ部が設けられている。フォーカルプレーンシャッタ１００の詳細については後述する。光学フィルタ２０１は、赤外光をカットする赤外カットフィルタとしての機能と、モアレを防止するローパスフィルタとしての機能を兼ね備えた光学フィルタである。なお、光学フィルタ２０１の前側表面に、光学性能向上の目的とは別に、ワイパ部に対する耐摺動性能を向上させるためのコーティングを施してもよい。
【００１０】
図２は、フォーカルプレーンシャッタ１００をカメラボディＣＢの斜め後方から見たときの分解図である。フォーカルプレーンシャッタ１００は、シャッタ地板１１０と、シャッタカバー１２０と、不図示の仕切板と、先幕遮光羽根部１３０と、後幕遮光羽根部１４０と、移動板ユニット１５０と、ガイド板１６０とを備えている。なお、フォーカルプレーンシャッタ１００がカメラボディＣＢに取り付けられた状態では、フォーカルプレーンシャッタ１００の前面には、駆動機構８０によって駆動される先幕駆動レバー３０と後幕駆動レバー４０とが配設される。後述するように、先幕駆動レバー３０は先幕遮光羽根部１３０および移動板ユニット１５０を駆動し、後幕駆動レバー４０は後幕遮光羽根部１４０を駆動する。
【００１１】
シャッタ地板１１０は、フォーカルプレーンシャッタ１００を構成する各部品が配設される基板である。シャッタ地板１１０には、撮像素子２５０に被写体像を導く撮影開口１１１と、長穴１１２，１１３とが設けられている。撮影開口１１１は、略矩形形状を呈しており、上下方向の長さよりも、左右方向の長さの方が長い。
【００１２】
シャッタカバー１２０は、シャッタ地板１１０の後面側に取り付けられた板状の部材である。シャッタカバー１２０には、開口部１２１と、長穴１２２，１２３とが設けられている。シャッタカバー１２０の後面には、移動板ユニット１５０と、ガイド板１６０とが設けられている。長穴１２２近傍のシャッタカバー１２０の後面には、シャッタカバー１２０の後面に対する斜面を形成し、シャッタカバー１２０の後面よりも突出する傾斜部１２４が設けられている。傾斜部１２４の後方への突出量は、後述するように、主アーム１５５の係合穴１５５ａと、先幕駆動レバー３０の爪部３２との係合を解除できるように設定されている。
【００１３】
先幕遮光羽根部１３０は、３枚の先幕遮光羽根１３１と、先幕主アーム１３２と、先幕従動アーム１３３とを備えている。後幕遮光羽根部１４０は、３枚の後幕遮光羽根１４１と、後幕主アーム１４２と、後幕従動アーム１４３とを備えている。先幕遮光羽根部１３０は不図示の仕切板の後方に、後幕遮光羽根部１４０は仕切板の前方にそれぞれ配設される。各アーム１３２，１３３，１４２，１４３は、シャッタ地板１１０の後面で回動可能に軸支されている。先幕主アーム１３２および先幕従動アーム１３３には、かしめピンによって３枚の先幕遮光羽根１３１が回動可能に取り付けられている。同様に、後幕主アーム１４２および後幕従動アーム１４３には、かしめピンによって３枚の後幕遮光羽根１４１が回動可能に取り付けられている。
【００１４】
先幕主アーム１３２および先幕従動アーム１３３によって公知のリンク機構が構成されているので、先幕主アーム１３２および先幕従動アーム１３３がシャッタ地板１１０に対して回転駆動されると、３枚の先幕遮光羽根１３１が撮影開口１１１の後方で上下方向に移動するように連動して駆動される。同様に、後幕主アーム１４２および後幕従動アーム１４３がシャッタ地板１１０に対して回転駆動されると、３枚の後幕遮光羽根１４１が撮影開口１１１の後方で上下方向に移動するように連動して駆動される。
【００１５】
先幕主アーム１３２および後幕主アーム１４２には、穴１３２ａ，１４２ａが設けられ、シャッタ地板１１０の長穴１１２，１１３を貫通した先幕駆動レバー３０および後幕駆動レバー４０のピン３１，４１が正面側から挿入される。穴１３２ａに嵌合するピン３１が長穴１１２に沿って駆動されると、先幕主アーム１３２がシャッタ地板１１０に対して回転駆動されるので、上述のように、先幕遮光羽根１３１が連動して駆動される。同様に、穴１４２ａに嵌合するピン４１が長穴１１３に沿って駆動されると、後幕主アーム１４２がシャッタ地板１１０に対して回転駆動されるので、上述のように、後幕遮光羽根１４１が連動して駆動される。
【００１６】
レリーズ前には、先幕遮光羽根１３１は撮影開口１１１を遮光し、後幕遮光羽根１４１は撮影開口１１１の上方に格納されている。不図示のレリーズボタンが押圧されると、先幕遮光羽根１３１が下方に向かって走行して、撮影開口１１１を開放する。先幕遮光羽根１３１の走行開始から所定時間経過後に後幕遮光羽根１４１が下方に向かって走行を開始して撮影開口１１１を遮光する。なお、図２では、先幕遮光羽根１３１が撮影開口１１１の下方に格納され、後幕遮光羽根１４１が撮影開口１１１を遮光した状態として図示している。
【００１７】
図３は、フォーカルプレーンシャッタ１００を後方（背面）から見たときの図であり、レリーズ前の状態を示している。図４は、フォーカルプレーンシャッタ１００を左側斜め後方から見たときの斜視図であり、レリーズ後、先幕遮光羽根１３１が走行し終える直前の状態を示している。説明の便宜上、図３では、先幕駆動レバー３０、後幕駆動レバー４０、移動板ユニット１５０、およびガイド板１６０を太線で強調表示している。移動板ユニット１５０は、移動板１５１と、主アーム１５５と、従動アーム１５６とを備えている。
【００１８】
移動板１５１は、シャッタカバー１２０の開口部１２１の近傍で左右方向に延在する板状の部材であり、左端側が主アーム１５５および従動アーム１５６に対して、かしめピンによって回動可能に取り付けられている。移動板１５１の右側端部１５１ａは後述するようにガイド板１６０に案内されるように、ガイド板１６０側へ向かって突出している。移動板１５１の後面には、移動板１５１の左右への延在方向に沿ってワイパ部１５２が設けられている。
【００１９】
ワイパ部１５２は、後述するように、光学フィルタ２０１の前側表面に付着した異物を除去する部材である。ワイパ部１５２の左右方向の長さは、撮像素子２５０の受光面の位置および受光面積で決まる光学フィルタ２０１の有効透過領域を清掃する際に有効透過領域のすべてをカバーする長さと同じか、それ以上である。すなわち、移動板１５１およびワイパ部１５２は、後述する各アーム１５５，１５６によって構成されるリンクの機構上、上下方向に駆動される際に左右方向へも移動する。このようにワイパ部１５２が左右方向へ移動しても、光学フィルタ２０１の有効透過領域の拭き残しが生じないように、ワイパ部１５２の左右方向の長さが定められている。なお、有効透過領域を透過した光束のみが撮像素子２５０で撮像され、最終的な画像データを構成する。ワイパ部１５２は、たとえば短繊維が植毛された部材や、不織布、発泡ウレタンやゴム製の部材など、光学フィルタ２０１の表面を清掃可能な部材によって構成されている。なお、ワイパ部１５２に、光学フィルタ２０１の前側表面を清掃可能な薬剤等が保持されるように構成されていてもよい。
【００２０】
主アーム１５５および従動アーム１５６は、シャッタカバー１２０の後面で回動可能に軸支されている。なお、主アーム１５５および従動アーム１５６は、後述するように移動板１５１が光軸方向に移動可能となるように、段付きネジ等でシャッタカバー１２０の後面に取り付けられている。主アーム１５５の左側端部１５５ｂには、一端がシャッタ地板１１０に係止されたバネ５０の他端が係止されているので、主アーム１５５は、バネ５０によって図示反時計方向に付勢されている。主アーム１５５には、係合穴１５５ａが設けられており、先幕駆動レバー３０のピン３１の先端に設けられた爪部３２と係合可能である。係合穴１５５ａと爪部３２とが係合されると、主アーム１５５と先幕駆動レバー３０とが連結される。また、後述するように係合穴１５５ａと爪部３２との係合は解除可能である。
【００２１】
先幕遮光羽根部１３０や後幕遮光羽根部１４０と同様に、移動板ユニット１５０では主アーム１５５および従動アーム１５６によって公知のリンク機構が構成されている。したがって、主アーム１５５および従動アーム１５６がシャッタカバー１２０に対して回転駆動されると、移動板１５１が開口部１２１の後方で上下方向に移動するように駆動される。主アーム１５５および従動アーム１５６によって移動板１５１が駆動されると、ワイパ部１５２が光学フィルタ２０１の有効透過領域の全面にわたって摺動するように、移動板ユニット１５０の各部の寸法が規定されている。移動板ユニット１５０の動作については後に詳述する。
【００２２】
ガイド板１６０は、シャッタカバー１２０の後面右側端部近傍に固定された板状部材である。ガイド板１６０は、シャッタカバー１２０の後面に取り付けられる取付部１６１と、シャッタカバー１２０の後面に取り付けられた際にシャッタカバー１２０の後面と離間するように形成されて、移動板１５１の右側端部１５１ａを案内するガイド部１６２とを有する。ガイド部１６２は、上下方向に延在するように形成され、下端がシャッタカバー１２０の後面（すなわち前方）に向かって折り曲げられた下側曲げ部１６２ａと、上端が後方に向かって折り曲げられた上側曲げ部１６２ｃと、各曲げ部１６２ａ，１６２ｃの間の中間部１６２ｂとを有する。ガイド部１６２は、上下方向に移動するワイパ部１５２の右端と干渉しないように形成されている。また、ガイド部１６２の厚さ、および、シャッタカバー１２０の後面における前後方向位置は、段付きネジによって可能となった主アーム１５５および従動アーム１５６の前後方向移動量に合わせて規定されている。ガイド板１６０による移動板１５１の右側端部１５１ａの案内については後述する。
【００２３】
−−−移動板ユニット１５０の動作について−−−
移動板ユニット１５０は、次のように動作することで、移動板１５１に設けられたワイパ部１５２で光学フィルタ２０１の前側表面を清掃する。図５〜１０は、フォーカルプレーンシャッタ１００を後方（背面）から見たときの図である。図５〜１０では、説明の便宜上、先幕遮光羽根部１３０、後幕遮光羽根部１４０、および、バネ５０の記載を省略している。
【００２４】
図１１（ａ）〜（ｊ）、図１２（ａ）〜（ｊ）は、主アーム１５５の係合穴１５５ａ近傍、および、移動板１５１の右側端部１５１ａ近傍を左側から見たときの断面の模式図であり、主アーム１５５、ピン３１、および、右側端部１５１ａの位置の変化を経時的に記載した図である。図１１（ａ）〜（ｅ）および図１２（ａ）〜（ｅ）は、主アーム１５５とピン３１との関係を示す図であり、図１１（ｆ）〜（ｊ）および図１２（ｆ）〜（ｊ）は、右側端部１５１ａとガイド部１６２との関係を示す図である。
【００２５】
図１１において、経時的に（ａ）は（ｆ）に、（ｂ）は（ｇ）に、（ｃ）は（ｈ）に、（ｄ）は（ｉ）に、（ｅ）は（ｊ）にそれぞれ対応する。図１２において、経時的に（ａ）は（ｆ）に、（ｂ）は（ｇ）に、（ｃ）は（ｈ）に、（ｄ）は（ｉ）に、（ｅ）は（ｊ）にそれぞれ対応する。図１１，１２では、説明の便宜上、シャッタカバー１２０の傾斜部１２４も記載している。
【００２６】
図１１，１２に示すように、ピン３１の後方端面は、シャッタカバー１２０の後面よりも後方に突出している。また、ピン３１の後方端面近傍には、ピン３１の下側側面から後方斜め上方向に向かって切り欠かれるように形成された斜面３１ａが設けられている。
【００２７】
図３，５、および、図１１（ａ），（ｆ）は、レリーズ前の状態を示している。レリーズ前には、先幕駆動レバー３０および後幕駆動レバー４０が図３，５における図示時計方向に回動された状態で停止している。すなわち、各ピン３１，４１がそれぞれ長穴１１２，１１３（１２２，１２３）に沿って上方（図示時計方向側）の端部に移動した状態で停止している。これにより、先幕主アーム１３２が図示時計方向に回動されて、先幕遮光羽根１３１が撮影開口１１１を遮光する。また、後幕主アーム１４２が図示時計方向に回動されて、後幕遮光羽根１４１が撮影開口１１１の上方に格納される。
【００２８】
また、レリーズ前には、主アーム１５５の係合穴１５５ａと、先幕駆動レバー３０の爪部３２との係合が解除されており、主アーム１５５は、バネ５０の付勢力によって図示反時計方向に回動されて停止している。すなわち、主アーム１５５と先幕駆動レバー３０との連結が解除されている。これにより、移動板１５１が撮影開口１１１および開口部１２１の下方に移動されて停止している。移動板１５１の右側端部１５１ａの位置は、ガイド板１６０の下側曲げ部１６２ａよりも下方である。図示はしないが、このとき移動板１５１およびワイパ部１５２が前方に移動しているので、ワイパ部１５２は光学フィルタ２０１の前側表面と離間している。
【００２９】
不図示のレリーズボタンが押圧されると、先幕駆動レバー３０が図３，５における図示反時計方向に回動される。これにより、上述したように先幕遮光羽根１３１が下方に向かって走行する。図6は、先幕駆動レバー３０が図示反時計方向に回動する途中の状態を示す図である。また、図１１（ｂ），（ｇ）は、図6に示した状態と対応する図である。先幕駆動レバー３０が図６における図示反時計方向に回動することで、図１１（ｂ）の矢印ｂで示すように、ピン３１は長穴１１２，１２２に沿って下方に向かって移動する。これにより、ピン３１の斜面３１ａが主アーム１５５の上側端面と当接して（図１１（ｂ））、主アーム１５５を斜面３１ａに沿って後方に移動させる。そして、先幕駆動レバー３０の回動終了間際、すなわちピン３１が下限位置近傍まで移動すると、アーム１５５がピン３１の後方端面に乗り上げ、図7および図１１（ｃ）に示すように係合穴１５５ａと爪部３２とが係合する。
【００３０】
なお、上述したように主アーム１５５はバネ５０によって図7における図示反時計方向に付勢されているので、係合穴１５５ａと爪部３２とが係合すると、ピン３１の上方への移動がバネ５０の付勢力によって規制される。これにより、下方に向かって走行した先幕遮光羽根１３１がバウンドして再び撮影開口１１１に飛び出すのを防止できる。また、係合穴１５５ａと爪部３２とが係合する際には、主アーム１５５が一度爪部３２の後方端面に乗り上げた後、ピン３１の後方端面に向かって前進することとなる。主アーム１５５が前進してピン３１の後方端面と当接する際に発生する振動は移動板１５１にも伝達されるが、この振動によってワイパ部１５２で除去した異物を払い落とす効果を期待できる。なお、この場合には、粘着材などのように払い落とされた異物を保持するための部材を設けることが望ましい。
【００３１】
上述したように、ピン３１の後方端面は、シャッタカバー１２０の後面よりも後方に突出しているので、図１１（ｃ）の矢印ｃで示すように、アーム１５５は後方に向かって移動される。なお、主アーム１５５の後方への移動によって、図１１（ｈ）の矢印ｈで示すように、移動板１５１（および右側端部１５１ａ）も後方に移動する。この移動板１５１の後方への移動によって、ワイパ部１５２が光学フィルタ２０１の前側表面と接触する。すなわち、主アーム１５５がピン３１によって後方に押し上げられると、段付きネジによる主アーム１５５のシャッタカバー１２０後面への取り付け部分を支点として主アーム１５５が後方に移動することとなる。そのため、移動板１５１も後方に向かって移動されることとなり、結果として、ワイパ部１５２が光学フィルタ２０１の前側表面と接触することになる。
【００３２】
ピン３１の後方端面の、シャッタカバー１２０の後面からの突出量は、主アーム１５５がピン３１の後方端面によって後方へ移動させられたときに、ワイパ部１５２が光学フィルタ２０１の前側表面と接触するように規定されている。なお、主アーム１５５がピン３１の後方端面によって後方へ移動させられていないときには、ワイパ部１５２が光学フィルタ２０１の前側表面と離間するように各部の寸法が規定されている。
【００３３】
上述したように先幕駆動レバー３０が回動を開始した後、後幕駆動レバー４０も回動を開始する。これにより、先幕遮光羽根１３１および後幕遮光羽根１４１が走行して撮影開口１１１が所定時間だけ開放される。その間、撮影レンズＬの透過光束が光学フィルタ２０１を介して撮像素子２５０に入射し、被写体像が撮像される。図７は、後幕遮光羽根１４１によって撮影開口１１１が遮光された後のフォーカルプレーンシャッタ１００を後方から見た図であり、図１１（ｃ），（ｈ）で示した状態に対応する図である。
【００３４】
撮像素子２５０による被写体像の撮像後、シャッタチャージ動作を含むリセット動作が開始される。リセット動作が開始されると、不図示の駆動モータの駆動力によってピン３０，４０が図７における図示時計方向に回動される。すなわち、各ピン３１，４１がそれぞれ長穴１１２，１１３（１２２，１２３）に沿って上方（図示時計方向側）の端部に向かって移動する。これにより、先幕主アーム１３２および後幕主アーム１４２が図示時計方向に回動されて、先幕遮光羽根１３１および後幕遮光羽根１４１が上方に向かって走行を開始する。
【００３５】
このとき、主アーム１５５の係合穴１５５ａと、先幕駆動レバー３０の爪部３２とが係合しているので、主アーム１５５は、バネ５０の付勢力に抗して図示時計方向に回動される。これにより、図１１（ｄ），（ｉ）に示すように、移動板１５１が上方に向かって移動を開始するが、上述したようにワイパ部１５２が光学フィルタ２０１の前側表面と接触しているため、移動板１５１の移動により、ワイパ部１５２が光学フィルタ２０１の前側表面を摺動することとなる。
【００３６】
移動板１５１の移動につれて、右側端部１５１ａがガイド板１６０の下側曲げ部１６２ａに乗り上がり、中間部１６２ｂの後方に移動することで右側端部１５１ａの前方への移動が規制される。また、主アーム１５５の前方への移動がピン３１の後方端面によって規制されているので、移動板１５１の左側端部の前方への移動が規制される。そのため、移動板１５１が上方に移動する際に、ワイパ部１５２と光学フィルタ２０１の前側表面との接触状態が保たれる。
【００３７】
したがって、図８、図１１（ｅ），（ｊ）に示すようにピン３１の上方への移動によって移動板１５１が上方に向かって移動されると、ワイパ部１５２が光学フィルタ２０１の前側表面を上方に移動しながら光学フィルタ２０１の前側表面に付着した異物を拭き取る。換言すれば、ガイド部１６２およびピン３１によって移動板１５１の前方への移動が規制された際に、ワイパ部１５２と光学フィルタ２０１の前側表面との接触状態が保たれるように、各部の寸法が規定されている。そのため、これら各部の寸法を適宜変更することで、フォーカルプレーンシャッタ１００と光学フィルタ２０１との距離など、カメラボディＣＢ内部における配設位置の変化に柔軟に対応できる。なお、ガイド部１６２およびピン３１によって移動板１５１の前方への移動が規制された際の、ワイパ部１５２と光学フィルタ２０１の前側表面との接触圧力や、ワイパ部１５２の変形量は、ワイパ部１５２の材質に応じて適宜設定される。
【００３８】
ピン３１とともに主アーム１５５がさらに上方に移動すると、図１２（ａ）に示すように、主アーム１５５が傾斜部１２４の斜面に当接して乗り上げる。そのため、ピン３１の上方への移動につれて、図１２（ｂ）に示すように、主アーム１５５が上方に移動するとともに後方へも移動し、ついには係合穴１５５ａと爪部３２との係合が解除される。なお、右側端部１５１ａは、図１２（ｆ）に示すように、主アーム１５５の上方への移動によって中間部１６２ｂから上側曲げ部１６２ｃに向かって移動し、図１２（ｇ）の矢印ｇで示すように、上側曲げ部１６２ｃの上端部から前方に移動する。図９は、シャッタチャージ動作終了間際のフォーカルプレーンシャッタ１００を後方から見た図であり、図１２（ｂ），（ｇ）で示した状態に対応する図である。係合穴１５５ａと爪部３２との係合が解除される時点では、ワイパ部１５２が、少なくとも光学フィルタ２０１の有効透過領域の上端面まで達して、ワイパ部１５２が光学フィルタ２０１の有効透過領域の全部を清掃し終えた状態となるように構成されている。
【００３９】
係合穴１５５ａと爪部３２との係合が解除されると、移動板１５１の復帰動作が開始する。すなわち、主アーム１５５がバネ５０の付勢力によって図９における図示反時計方向に回動され、移動板１５１は下方に向かって移動を開始する。このとき、図１２（ｃ），（ｄ）で示すように、主アーム１５５が前方に移動し、図１２（ｈ），（ｉ）に示すように、右側端部１５１ａがガイド部１６２の前方に移動する。そのため、ワイパ部１５２が光学フィルタ２０１の前側表面と離間する。すなわち、ワイパ部１５２は、光学フィルタ２０１の前側表面に触れることなく下方に向かって移動する。図１０は、移動板１５１の復帰動作途中のフォーカルプレーンシャッタ１００を後方から見た図であり、図１２（ｄ），（ｉ）で示した状態に対応する図である。
【００４０】
主アーム１５５がさらに下方に移動すると、図１２（ｊ）に示すように、右側端部１５１ａが下側曲げ部１６２ａの前面に当接し、矢印ｊ２で示すように下側曲げ部１６２ａを後方に向かって変形させながら、矢印ｊ１で示すように下方に移動する。その後、移動板１５１が下限位置まで移動して、図１１（ａ），（ｆ）に示すように、レリーズ前の状態に復帰する。また、ミラー２２を含め、カメラボディＣＢの各部のリセット動作も終了し、レリーズ前の状態に戻る。
【００４１】
上述した移動板ユニット１５０の一連の動作によって、移動板１５１が上方へ移動する際にワイパ部１５２が光学フィルタ２０１の前側表面に接触しながら移動して、光学フィルタ２０１の有効透過領域の全体を清掃する。また、移動板１５１の復帰時、すなわち移動板１５１が下方へ移動する際には、ワイパ部１５２が光学フィルタ２０１の前側表面から離間した状態で移動するので、ワイパ部１５２で除去した異物の光学フィルタ２０１への再付着を防止できる。
【００４２】
本実施形態におけるデジタルスチルカメラでは、次の作用効果を奏する。
（１）  移動板１５１にワイパ部１５２を設けるように構成した。また、移動板１５１を駆動させる主アーム１５５の係合穴１５５ａと先幕駆動レバー３０の爪部３２とを係合させて主アーム１５５と先幕駆動レバー３０とを連結し、先幕駆動レバー３０の回動によって連結された主アーム１５５および移動板１５１を移動させて、ワイパ部１５２で光学フィルタ２０１の前側表面を清掃するように構成した。また、清掃後には、主アーム１５５と先幕駆動レバー３０との連結を解除するように構成した。したがって、ワイパ部１５２を遮光羽根１３１，１４１と独立して設けられるので、従来のシャッタ装置のような、ワイパ部材の配設に伴うシャッタ装置と撮像素子ユニットとの位置関係の制限がなくなる。これにより、フォーカルプレーンシャッタ１００およびデジタルスチルカメラにおける部品選定や配置の自由度を確保できる。
【００４３】
また、光学フィルタ２０１の前側表面にワイパ部１５２を摺動させるので、光学フィルタ２０１を振動させることや、静電気を帯びた部材を光学フィルタ２０１の前側表面近傍で走行させて光学フィルタ２０１の前側表面に付着した異物を除去する方法と比べて確実に異物を除去できる。さらに、光学フィルタ２０１を振動させる場合のように光学フィルタ２０１の駆動装置などが不要であり、スペースおよびコストの面で有利である。
【００４４】
（２）  主アーム１５５が傾斜部１２４の斜面に当接して乗り上げることで係合穴１５５ａと爪部３２との係合が解除されると、移動板１５１が元の位置へ復帰するように構成した。これにより、先幕駆動レバー３０は、フォーカルプレーンシャッタ１００を後方から見たときに、時計方向に回動する時にのみ移動板ユニット１５０を駆動すればよく、反時計に向かって回動するときには移動板ユニット１５０を駆動する必要がない。したがって、先幕駆動レバー３０の反時計方向の回動速度を低下させることがなく、先幕駆動レバー３０の回動によって実現するフォーカルプレーンシャッタ１００の動作のうち、先幕駆動レバー３０の反時計方向への回動による動作の速度に悪影響を与えることがない。本実施の形態では、先幕駆動レバー３０がレリーズ時に反時計方向へ回動することで、撮影開口１１１を遮光している先幕遮光羽根１３１を下方に向かって駆動して、撮影開口１１１を開放させている。
【００４５】
すなわち、本実施の形態では、シャッタ秒時（露光時間）に影響がある、先幕駆動レバー３０の反時計方向への回動時には移動板ユニット１５０を駆動する必要がない。そして、露光時間に影響のないシャッタのチャージ時（リセット時）に先幕駆動レバー３０が移動板ユニット１５０を駆動することとしている。したがって、シャッタ性能を犠牲にすることがなく、撮像して得られる被写体像の画像の画質を安定化できる。また、先幕駆動レバー３０の回動速度は、レリーズ時よりもリセット時の方が遅いので、リセット時に先幕駆動レバー３０で移動板ユニット１５０を駆動することで、移動板ユニット１５０の動作速度を低下させることができ、移動板ユニット１５０の耐久性を向上できる。
【００４６】
（３）  係合穴１５５ａと爪部３２とが係合されて、主アーム１５５が先幕駆動レバー３０によって駆動された際にワイパ部１５２が光学フィルタ２０１の前側表面に接触して摺動するように構成した。そして、係合穴１５５ａと爪部３２との係合が解除されて、主アーム１５５がバネ５０の付勢力によって駆動された際にワイパ部１５２が光学フィルタ２０１の前側表面から離間して移動するように構成した。これにより、ワイパ部１５２の光学フィルタ２０１の前側表面における摺動方向を一方向とすることができるので、ワイパ部１５２で拭き取った異物の光学フィルタへの再付着を防止できる。また、ワイパ部１５２が光学フィルタ２０１の前側表面に常に接触して摺動する場合と比べて、ワイパ部１５２の光学フィルタ２０１の前側表面における摺動回数を半分に減らすことができるので、ワイパ部１５２および光学フィルタ２０１の前側表面の摩耗の点で有利である。特に、上述したように、先幕駆動レバー３０の回動速度が遅くなるリセット時にワイパ部１５２を光学フィルタ２０１の前側表面に接触させて摺動するように構成したので、ワイパ部１５２の摺動速度を低下させることができ、ワイパ部１５２および光学フィルタ２０１の前側表面の摩耗の点で特に有利である。
【００４７】
（４）  レリーズ時における先幕駆動レバー３０の回動終了間際、すなわち走行する先幕遮光羽根１３１が停止する間際で係合穴１５５ａと爪部３２とが係合するように構成した。ピン３１の上方への移動がバネ５０で付勢された主アーム１５５によって規制され、下方に向かって走行した先幕遮光羽根１３１がバウンドして再び撮影開口１１１に飛び出すのを防止できるので、先幕遮光羽根１３１のバウンドによる露光時の悪影響を防止できる。また、係合穴１５５ａと爪部３２とが係合する際に発生する振動によってワイパ部１５２で除去した異物を払い落とす効果を期待できる。さらに、係合穴１５５ａと爪部３２とが係合する際の、主アーム１５５と爪部３２との摩擦によって先幕遮光羽根１３１のブレーキ効果が得られる。これにより、先幕遮光羽根１３１のブレーキ機構を省略できるので、コストダウンが図られる。なお、主アーム１５５と爪部３２との摩擦による先幕遮光羽根１３１のブレーキ効果は、爪部３２の高さや、斜面３１および斜面３１ａに続く爪部３２の傾斜角度などによって適宜調節可能である。
【００４８】
（５）  係合穴１５５ａと爪部３２とが係合するように構成したので、簡単な構成で係合および係合の解除が可能となり、故障が少なく信頼性が高い。
（６）  リセット動作毎にワイパ部１５２で光学フィルタ２０１の前側表面を清掃するので、光学フィルタ２０１の前側表面を常時清浄な状態に保つことができ、異物の写り込みによる画質低下を防止できる。
【００４９】
−−−変形例−−−
（１）  上述の説明では、図２，４に示すように、凹凸のないシャッタカバー１２０の後面上を移動板１５１が上下方向に移動するように構成しているが、本発明はこれに限定されない。たとえば、図１３に示すように、シャッタカバー１２０の後面に前方に向かって凹んでいる凹部１２５を設ける。そして、上述した実施の形態と比べてワイパ部１５２が前方にオフセットされるように、前方に向かってクランク状に折り曲げた曲げ部１５１ｂを移動板１５１に設ける。ガイド板１６０には、上述した実施の形態と比べてガイド部１６２が前方にオフセットされるように、前方に向かって折り曲げた曲げ部１６２ｄを設ける。このように構成することで、上述した実施の形態と比べてワイパ部１５２が前方にオフセットされた状態で上下方向に移動できるようになるので、フォーカルプレーンシャッタ１００全体の厚みを薄くでき、フォーカルプレーンシャッタ１００およびカメラボディＣＢをコンパクト化できる。
（２）  上述した各実施の形態および変形例は、それぞれ組み合わせてもよい。
【００５０】
なお、本発明は、上述した実施の形態のものに何ら限定されず、撮影開口を遮光または開放するシャッタ羽根の駆動機構と、撮像素子の受光面側に設けられた光学部材の表面を清掃する清掃部材と、駆動機構によって駆動される被駆動部材と清掃部材とを連結する連結手段と、清掃部材が連結手段で連結された被駆動部材によって光学部材の表面を一方向に移動して清掃した後に、連結手段による清掃部材と被駆動部材との連結を解除する解除手段とを備える各種構造のシャッタ装置、および、このシャッタ装置が設けられたカメラを含むものである。
【図面の簡単な説明】
【００５１】
【図１】本発明を適用したデジタルスチルカメラを側面から見た断面図である。
【図２】フォーカルプレーンシャッタ１００をカメラボディＣＢの斜め後方から見たときの分解図である。
【図３】フォーカルプレーンシャッタ１００を後方から見たときの図であり、レリーズ前の状態を示している。
【図４】フォーカルプレーンシャッタ１００を左側斜め後方から見たときの斜視図であり、レリーズ後、先幕遮光羽根１３１が走行し終える直前の状態を示している。
【図５】フォーカルプレーンシャッタ１００を後方から見たときの図である。
【図６】フォーカルプレーンシャッタ１００を後方から見たときの図である。
【図７】フォーカルプレーンシャッタ１００を後方から見たときの図である。
【図８】フォーカルプレーンシャッタ１００を後方から見たときの図である。
【図９】フォーカルプレーンシャッタ１００を後方から見たときの図である。
【図１０】フォーカルプレーンシャッタ１００を後方から見たときの図である。
【図１１】主アーム１５５の係合穴１５５ａ近傍、および、移動板１５１の右側端部１５１ａ近傍を左側から見たときの断面の模式図である。
【図１２】主アーム１５５の係合穴１５５ａ近傍、および、移動板１５１の右側端部１５１ａ近傍を左側から見たときの断面の模式図である。
【図１３】変形例を示す図である。
【符号の説明】
【００５２】
３０  先幕駆動レバー                      ３２  爪部
５０  バネ                                ８０  駆動機構
１００  フォーカルプレーンシャッタ        １２４  傾斜部
１５０  移動板ユニット                    １５１  移動板
１５２  ワイパ部                          １５５  主アーム
１５５ａ  係合穴                          １６０  ガイド板
２０１  光学フィルタ                      ２５０  撮像素子
ＣＢ  カメラボディ
【図１】
2008122568.tif 000003
【図２】
2008122568.tif 000004
【図３】
2008122568.tif 000005
【図４】
2008122568.tif 000006
【図５】
2008122568.tif 000007
【図６】
2008122568.tif 000008
【図７】
2008122568.tif 000009
【図８】
2008122568.tif 000010
【図９】
2008122568.tif 000011
【図１０】
2008122568.tif 000012
【図１１】
2008122568.tif 000013
【図１２】
2008122568.tif 000014
【図１３】
2008122568.tif 000015